(57)【要約】 【課題】  タイミングコントローラの表示制御異常時の正常化等を図る。【解決手段】  タイミングコントローラ１２の信号検出部１６で未入力状態及び又はクロック信号等の停止を検出したとき、検出結果を双方向通信部２０から双方向通信部２２に転送する。検出結果を受け取ったタイミングコントローラ１４は、その双方向通信部２２から双方向通信部２０へ正常な画像信号及び又はクロック信号等を転送する。タイミングコントローラ１２は、転送されて来た画像信号及び又はクロック信号等に基づいて液晶パネル３８の表示制御を行う。【選択図】        図１
2006243565.tif 000002
【特許請求の範囲】
【請求項１】
表示パネルの駆動を複数のパネル駆動手段で行う表示パネルの駆動方法であって、
複数の前記パネル駆動手段のうちの第１の前記パネル駆動手段から駆動制御のための信号を第２の前記パネル駆動手段へ転送し、
転送されて来た前記信号に基づいて第1の前記パネル駆動手段での駆動制御を行うことを特徴とする表示パネルの駆動方法。
【請求項２】
前記駆動制御は、表示制御の異常時の駆動制御であることを特徴とする請求項１記載の表示パネルの駆動方法。
【請求項３】
前記表示制御の異常時の駆動制御は、複数の前記パネル駆動手段のうちの第１の前記パネル駆動手段が前記表示制御の異常を検出したとき、検出結果を第２の前記パネル駆動手段へ転送し、
転送されて来た前記検出結果に基づいて第２の前記パネル駆動手段から第１の前記パネル駆動手段へ表示制御のための正常な信号を転送し、
転送されて来た正常な前記信号に基づいて第１の前記パネル駆動手段での駆動制御を行うことを特徴とする請求項２記載の表示パネルの駆動方法。
【請求項４】
前記表示制御の異常は、前記パネル駆動手段の信号の異常であることを特徴とする請求項３記載の表示パネルの駆動方法。
【請求項５】
前記信号は、画像信号又は制御信号であることを特徴とする請求項３又は４記載の表示パネルの駆動方法。
【請求項６】
正常な前記信号は、第２の前記パルス駆動手段に搭載されるメモリのデータであることを特徴とする請求項３、４又は５記載の表示パネルの駆動方法。
【請求項７】
正常な前記信号は、前記表示パネルに固定表示を生じさせる信号であることを特徴とする請求項３、４又は５記載の表示パネルの駆動方法。
【請求項８】
正常な前記信号は、表示パネルに黒固定表示を生じさせる信号であることを特徴とする請求項３、４又は５記載の表示パネルの駆動方法。
【請求項９】
表示パネルを複数のパネル駆動手段で駆動する表示パネルの駆動装置であって、
複数の前記パネル駆動手段のうちの第１の前記パネル駆動手段から駆動制御のための信号を第２の前記パネル駆動手段へ転送する第1の転送手段を有し、
第1の前記パネル駆動手段は、第1の前記転送手段によって転送されて来た前記信号に基づいて駆動制御を行うことを特徴とする表示パネルの駆動装置。
【請求項１０】
前記駆動制御のための信号は、表示制御の異常時に正常な駆動制御を行わせる信号であることを特徴とする請求項９記載の表示パネルの駆動装置。
【請求項１１】
第1の前記転送手段は、
複数の前記パネル駆動手段のうちの第１の前記パネル駆動手段における表示制御の異常を検出する検出手段と、
該検出手段での検出結果を第2の前記パネル駆動手段へ転送する第2の転送手段と、
第２の前記転送手段によって転送されて来た前記検出結果に基づいて第２の前記パネル駆動手段から第１の前記パネル駆動手段へ表示制御のための正常な信号を転送する第3の転送手段とで構成され、
第１の前記パネル駆動手段は、第3の転送手段によって転送されて来た正常な前記信号に基づいて駆動制御を行うことを特徴とする請求項１０記載の表示パネルの駆動装置。
【請求項１２】
前記検出手段によって検出される前記表示制御の異常は、第1の前記パネル駆動手段の信号の異常であることを特徴とする請求項１１記載の表示パネルの駆動装置。
【請求項１３】
前記信号は、画像信号又は制御信号であることを特徴とする請求項１１又は１２記載の表示パネルの駆動装置。
【請求項１４】
正常な前記信号は、第２の前記パルス駆動手段に搭載されるメモリのデータであることを特徴とする請求項１１、１２又は１３記載の表示パネルの駆動装置。
【請求項１５】
正常な前記信号は、前記表示パネルに固定表示を生じさせる信号であることを特徴とする請求項１１、１２又は１３記載の表示パネルの駆動装置。
【請求項１６】
正常な前記信号は、表示パネルに黒固定表示を生じさせる信号であることを特徴とする請求項１１、１２又は１３記載の表示パネルの駆動装置。
【請求項１７】
前記表示パネルは、液晶パネルであり、前記パネル駆動手段は、タイミングコントローラであり、前記検出手段は、第１の前記タイミングコントローラに設けられた信号検出部であり、第２の転送手段は、第１の前記タイミングコントローラに設けられた双方向通信部であり、第3の転送手段は、第２の前記タイミングコントローラに設けられた双方向通信部であることを特徴とする請求項１１乃至１６のいずれか一に記載の表示パネルの駆動装置。
【発明の詳細な説明】
【技術分野】
【０００１】
この発明は、表示パネルの駆動方法及びその装置に関し、詳しくは複数のタイミングコントローラを用いて液晶パネル等を駆動する際、１つのタイミングコントローラでの駆動、例えば、表示制御の異常時の駆動を他のタイミングコントローラの制御の下に置く表示パネルの駆動方法及びその装置に関する。
【背景技術】
【０００２】
従来の液晶表示装置（以下、公知の液晶表示装置という）では、その表示を高解像度で行うため、液晶パネルの駆動に２個のタイミングコントローラを用い、ドットクロック信号の周波数を下げる技術的手段が用いられるのが、一般的である。
この公知の液晶表示装置は、図５に示すように、タイミングコントローラ１１２、１１４は、対応する信号入力部２４、２６から入力画像信号を受け取り、ソースドライバ３０、３２、３４、３６に表示制御の信号を供給してソースドライバ３０、３２、３４、３６により図示しない液晶パネルを駆動し、液晶パネルの画面上に入力画像信号対応の画像を表示するようにして構成されている。
この装置構成によると、一方のタイミングコントローラへの入力信号が喪失すると、当該タイミングコントローラから出力信号が液晶パネルの駆動回路へ供給されなくなる。
したがって、液晶パネルには、直流成分のみが印加されることとなっている。
【０００３】
また、特許文献１には、フラット表示装置、具体的には、液晶表示装置における表示制御部からフラット表示体モジュール部へ転送される信号の異常発生、例えば、クロック信号の停止を検出し、検出された結果に基づいてフラット表示体モジュール部へ転送される信号形態を変更する、例えば、液晶電極間電圧を停止する、すなわち、０にする技術が開示されている。
【０００４】
また、特許文献２には、従来の液晶表示装置の駆動方式で用いられるコントローラでは、その１ポートに入力される表示データを２ポートの表示データに分割するインタフェースを設けてそのインタフェースにおいて分割された表示データで液晶パネルを駆動する場合の次のような技術的課題の解決手段の例が開示されている。
その技術的課題は、液晶表示装置への送り側のデータ形式等に大きな制約、つまり表示データの信号形式の自由度に制約があること、この制約が回路設計上等の自由度の制約ともなること、その結果として液晶表示装置の複雑化や高価格化となること等である。
【０００５】
上述の技術的課題の解決手段として、画面左半分と画面右半分に分割された液晶パネルの駆動に際して、液晶パネルの２Ｎポート（Ｎは自然数）に対応する表示ディジタルデータを供給する２つのドライバ群を駆動するタイミングコントローラを有する液晶表示装置に、各ポートに時系列なデータとして分割された第１の表示ディジタルデータ又は異なるポートのそれぞれ画面左半分及び画面右半分のデータとして分割された２Ｎポートの第２の表示デイジタルデータを供給して来るデータ供給回路と、データ供給回路と上記２つのドライバ郡との間に、供給されて来た第１の表示デイジタルデータを書き込み、２Ｎポートの第２の表示デイジタルデータとして読み出すメモリを有するメモリ回路とを設けると共に、データ供給回路から供給される上記第１の表示デイジタルデータ又は上記第２の表示デイジタルデータに対して、上記第２の表示デイジタルデータを上記ドライバ郡に供給する入力選択回路とを設けて上記タイミングコントローラを構成して成る。
【０００６】
また、特許文献３には、画面を複数に分割して表示する複数画面表示装置が開示されている。この複数画面表示装置は、画面を複数に分割し、その分割された画面（以下、部分画面という）の連動スクロール、部分画面間のカーソル移動、操作性の向上についての技術的課題の解決を図っている。
その技術的手段は、部分画面対応の表示データを画面メモリに部分画面対応に格納し、その部分画面対応の表示データの更新要求があったとき、画面作成手段がその更新表示データで画面メモリの対応する部分画面の表示データを更新できると共に、画面表示命令が入力されたとき、表示データ取出手段が部分画面の表示データを個別に読み出して部分画面対応の画面表示手段に供給し、部分画面の表示データを個別に受け取る部分画面対応の画面表示手段が画面上の部分画面の表示処理を行うようにして構成されている。
【０００７】
また、特許文献４には、特許文献３と同様、画面を複数に分割して表示する液晶表示装置が開示されている。この液晶表示装置は、液晶パネルを駆動するための映像データ、各種の制御信号を伝送するのにＦＰＣ（Ｆlexible Ｐrinted Ｃable）が用いられるが、このＦＰＣに存在する技術的課題、すなわち、信号の周波数が高くなるほど、信号間結合、ノイズ、電磁結合や、ＦＰＣの伝送路で生ずる信号遅延、信号歪等のうちの信号遅延及び信号歪の解決を図っている。
【０００８】
その技術的手段は、液晶パネルの左半分及び右半分を各別に駆動するソースドライバ毎に、タイミングコントローラをソースドライバに近接して設け、そのタイミングコントローラの出力信号を対応するソースドライバに供給して液晶パネルを駆動するようにして構成されている。
この構成により、従来タイミングコントローラを単一とする場合に生ずるＦＰＣの伝送路で生ずる信号遅延、信号歪の解決を図っている。
【特許文献１】特開２００１−２７２９６１号公報
【特許文献２】特開２００２−３１１９１３号公報
【特許文献３】特開平６−１０２８５１号公報
【特許文献４】特開２００２−１９６７３３号公報
【発明の開示】
【発明が解決しようとする課題】
【０００９】
上述した公知の液晶表示装置の技術的手段によると、一方のタイミングコントローラへの入力信号が喪失すると、当該タイミングコントローラによる表示制御異常が発生し、そのタイミングコントローラから出力信号が液晶パネルの駆動回路へ供給されなくなる。
したがって、この状態では液晶表示装置が表示異常となるばかりでなく、液晶パネルに直流成分のみが印加されてしまい、液晶パネルを劣化させる。
また、一方のタイミングコントローラと他方のタイミングコントローラとの駆動上における技術的連携についての示唆はない。
【００１０】
また、特許文献１では、フラット表示装置の表示制御部からフラット表示体モジュール部へ転送される信号の異常発生、例えば、クロック信号の停止を検出したとき、表示制御部からフラット表示体モジュール部へ転送される信号形態が変更される、例えば、液晶電極間電圧を０にされるから、フラット表示体、例えば、液晶パネルに直流電圧が印加されてしまうのを回避することができ、液晶パネルの劣化防止を図ることはできる。
しかしながら、この特許文献１では、上述した公知の液晶表示装置のようなタイミングコントローラを複数用いる場合の技術的課題については何ら触れられていない。
【００１１】
また、特許文献２では、データ供給回路と、データ供給回路と上記２つのドライバ郡との間に、供給されて来た第１の表示デイジタルデータを書き込み、２Ｎポートの第２の表示デイジタルデータとして読み出すメモリを有するメモリ回路と、データ供給回路から供給される第１の表示デイジタルデータ又は第２の表示デイジタルデータに対して、第２の表示デイジタルデータをドライバ郡に供給する入力選択回路とを設けているから、入力される表示デイジタルデータの信号形式から惹起して来る技術的課題の解決には役立つが、上述の特許文献１と同様、上述した公知の液晶表示装置のようなタイミングコントローラを複数用いる場合の技術的課題が残る。
【００１２】
また、特許文献３では、画面メモリに部分画面対応に格納した部分画面対応の表示データは、その部分画面対応の表示データの更新要求があったとき、画面メモリの対応する部分画面の表示データは、画面作成手段により、更新要求の更新表示データで更新され得るし、また、画面表示命令が入力されたとき、部分画面の表示データは、表示データ取出手段によって個別に読み出されて部分画面対応の画面表示手段に供給され、部分画面対応の画面表示手段は、部分画面の表示データで画面上の部分画面の表示処理を行うので、部分画面に亘る連動スクロール、部分画面間のカーソル移動、操作性の向上に役立つ。
しかしながら、上述の特許文献１及び特許文献２と同様、上述した公知の液晶表示装置のようなタイミングコントローラを複数用いる場合の技術的課題は未解決である。
【００１３】
また、特許文献４では、液晶パネルの左半分及び右半分を各別に駆動するソースドライバ毎に、タイミングコントローラをソースドライバに近接して設け、そのタイミングコントローラの出力信号を対応するソースドライバに供給して液晶パネルを駆動する構成としているので、従来タイミングコントローラを単一とする場合に生ずるＦＰＣの伝送路で生ずる信号遅延、信号歪の解決は図られるが、上述の特許文献１、特許文献２及び特許文献３と同様、上述した公知の液晶表示装置のようなタイミングコントローラを複数用いる場合の技術的課題は未解決のまま残っている。
【００１４】
この発明は、上述の事情に鑑みてなされたもので、複数のタイミングコントローラによる液晶パネル等の駆動において、１つのタイミングコントローラでの駆動を他のタイミングコントローラの制御の下に行う表示パネルの駆動方法及びその装置を提供することを目的としている。
【課題を解決するための手段】
【００１５】
上記課題を解決するために、請求項１記載の発明は、表示パネルの駆動を複数のパネル駆動手段で行う表示パネルの駆動方法に係り、複数の上記パネル駆動手段のうちの第１の上記パネル駆動手段から駆動制御のための信号を第2の上記パネル駆動手段へ転送し、転送されて来た上記信号に基づいて第1の上記パネル駆動手段での駆動制御を行うことを特徴としている。
【００１６】
請求項２記載の発明は、請求項１記載の表示パネルの駆動方法に係り、上記駆動制御は、表示制御の異常時の駆動制御であることを特徴としている。
【００１７】
請求項３記載の発明は、請求項２記載の表示パネルの駆動方法に係り、上記表示制御の異常時の駆動制御は、複数の上記パネル駆動手段のうちの第１の上記パネル駆動手段が上記表示制御の異常を検出したとき、検出結果を第2の上記パネル駆動手段へ転送し、転送されて来た上記検出結果に基づいて第２の上記パネル駆動手段から第１の上記パネル駆動手段へ表示制御のための正常な信号を転送し、転送されて来た正常な上記信号に基づいて第１の上記パネル駆動手段での駆動制御を行うことを特徴としている。
【００１８】
請求項４記載の発明は、請求項３記載の表示パネルの駆動方法に係り、上記表示制御の異常は、上記パネル駆動手段の信号の異常であることを特徴としている。
【００１９】
請求項５記載の発明は、請求項３又は４記載の表示パネルの駆動方法に係り、上記信号は、画像信号又は制御信号であることを特徴としている。
【００２０】
請求項６記載の発明は、請求項３、４又は５記載の表示パネルの駆動方法に係り、正常な上記信号は、第２の上記パルス駆動手段に搭載されるメモリのデータであることを特徴としている。
【００２１】
請求項７記載の発明は、請求項３、４又は５記載の表示パネルの駆動方法に係り、正常な上記信号は、上記表示パネルに固定表示を生じさせる信号であることを特徴としている。
【００２２】
請求項８記載の発明は、請求項３、４又は５記載の表示パネルの駆動方法に係り、正常な上記信号は、表示パネルに黒固定表示を生じさせる信号であることを特徴としている。
【００２３】
請求項９記載の発明は、表示パネルを複数のパネル駆動手段で駆動する表示パネルの駆動装置に係り、複数の上記パネル駆動手段のうちの第１の上記パネル駆動手段から駆動制御のための信号を第2の上記パネル駆動手段へ転送する第1の転送手段を有し、第1の上記パネル駆動手段は、第1の上記転送手段によって転送されて来た上記信号に基づいて駆動制御を行うことを特徴としている。
【００２４】
請求項１０記載の発明は、請求項９記載の表示パネルの駆動装置に係り、上記駆動制御のための信号は、表示制御の異常時に正常な駆動制御を行わせる信号であることを特徴としている。
【００２５】
請求項１１記載の発明は、請求項１０記載の表示パネルの駆動装置に係り、第1の上記転送手段は、複数の上記パネル駆動手段のうちの第１の上記パネル駆動手段における表示制御の異常を検出する検出手段と、該検出手段での検出結果を第2の上記パネル駆動手段へ転送する第2の転送手段と、第2の上記転送手段によって転送されて来た上記検出結果に基づいて第２の上記パネル駆動手段から第１の上記パネル駆動手段へ表示制御のための正常な信号を転送する第3の転送手段とで構成され、第１の上記パネル駆動手段は、第3の転送手段によって転送されて来た正常な上記信号に基づいて駆動制御を行うことを特徴としている。
【００２６】
請求項１２記載の発明は、請求項１１記載の表示パネルの駆動装置に係り、上記検出手段によって検出される上記表示制御の異常は、第1の上記パネル駆動手段の信号の異常であることを特徴としている。
【００２７】
請求項１３記載の発明は、請求項１１又は１２記載の表示パネルの駆動装置に係り、上記信号は、画像信号又は制御信号であることを特徴としている。
【００２８】
請求項１４記載の発明は、請求項１１、１２又は１３記載の表示パネルの駆動装置に係り、正常な上記信号は、第２の上記パルス駆動手段に搭載されるメモリのデータであることを特徴としている。
【００２９】
請求項１５記載の発明は、請求項１１、１２又は１３記載の表示パネルの駆動装置に係り、正常な上記信号は、上記表示パネルに固定表示を生じさせる信号であることを特徴としている。
【００３０】
請求項１６記載の発明は、請求項１１、１２又は１３記載の表示パネルの駆動装置に係り、正常な上記信号は、表示パネルに黒固定表示を生じさせる信号であることを特徴としている。
【００３１】
請求項１７記載の発明は、請求項１１乃至１６のいずれか一に記載の表示パネルの駆動装置に係り、上記表示パネルは、液晶パネルであり、上記パネル駆動手段は、タイミングコントローラであり、上記検出手段は、第１の上記タイミングコントローラに設けられた信号検出部であり、第２の転送手段は、第１の上記タイミングコントローラに設けられた双方向通信部であり、第3の転送手段は、第２の上記タイミングコントローラに設けられた双方向通信部であることを特徴としている。
【発明の効果】
【００３２】
この発明によれば、表示パネルを複数のパネル駆動手段で駆動するに際して、複数のパネル駆動手段のうちの第１のパネル駆動手段から駆動制御のための信号を第2のパネル駆動手段へ転送し、転送されて来た信号に基づいて第1のパネル駆動手段での駆動制御を行うようにしているから、表示パネルの駆動をパネル駆動手段間で連携して行うことができる。
この連携手段による駆動制御を表示制御の異常時の駆動制御に用いれば、パネル駆動手段への入力画像信号が未入力になったり、クロック信号等の停止でも、そのパネル駆動手段の表示制御を正常に行うことができるし、表示パネルの劣化防止にもなる。
【発明を実施するための最良の形態】
【００３３】
この発明は、表示パネルを複数のパネル駆動手段で駆動するに際して、複数のパネル駆動手段のうちの所定のパネル駆動手段間で駆動制御のための信号を転送し得る構成を組み込むことによって構成することができる。
特に、表示制御の異常時に、１つのパネル駆動手段で表示制御の異常が検出されたとき、その検出結果を正常なパネル駆動手段に転送し、その正常なパネル駆動手段から正常な信号を表示制御の異常にあるパネル駆動手段に転送して当該パネル駆動手段の表示制御に供する構成とするとよい。
【実施例１】
【００３４】
図１は、この発明の実施例１である液晶パネルの駆動装置の電気的構成を示す図、図２は、同駆動装置の動作を説明するための図である。
この実施例の液晶パネルの駆動装置１は、液晶パネルが２つのタイミングコントローラで駆動される構成において、一方のタイミングコントローラの表示制御の異常を検出し、その検出結果に基づいて表示制御の正常な他方のタイミングコントローラにより一方のタイミングコントローラの表示制御を行う装置に係り、図１に示すように、タイミングコントローラ１２、１４毎に、信号検出部１６、１８と、双方向通信部２０、２２と、出力部２１、２３とを設けて構成されている。
【００３５】
信号入力部２４は、図２に示すように、インタフェース部４０の信号出力部４２に接続され、信号入力部２６は、インタフェース部４０の信号出力部４４に接続されている。
タイミングコントローラ１２、１４と、信号入力部２４、２６と、インタフェース部４０とは、信号処理基板４６上に搭載されている。
また、タイミングコントローラ１２、１４には、タイミングコントローラ別に信号入力部２４、２６が接続される一方、タイミングコントローラ１２は、ソースドライバ３０、３２に接続され（図１）、タイミングコントローラ１４は、ソースドライバ３４、３６に接続されている（図１）。ソースドライバ３０、３２、３４、３６は、各別に液晶パネル３８（図２）の対応駆動入力に接続されている。
【００３６】
ソースドライバ３０は、液晶パネル３８の左側から第１番目の１／４部分を、ソースドライバ３２は、液晶パネル３８の左側から第２番目の１／４部分を、ソースドライバ３４は、液晶パネル３８の左側から第３番目の１／４部分を、ソースドライバ３６は、液晶パネル３８の左側から第４番目の１／４部分を、それぞれ駆動するように液晶パネル３８の対応する駆動入力部に接続されている。
【００３７】
信号検出部１６、１８は、信号入力部２４から供給される入力信号（画像信号）及び又は制御信号（クロック信号等）の信号状態を検出する。
双方向通信部２０、２２は、自身が所属する一方のタイミングコントローラの信号検出部１６、１８からの検出結果を他方のタイミングコントローラへ転送し、他方のタイミングコントローラの正常な画像信号及び又は制御信号を一方のタイミングコントローラへ転送する。
出力部２１、２３は、信号検出部１６、１８の検出結果が表示制御の異常、例えば、未入力状態及び又はクロック信号の停止にあることを示している場合には、異常となっている信号に代えて双方向通信部２０、２１からの画像信号（入力信号）及び又は制御信号（クロック信号等）を対応するソースドライバに供給する。
【００３８】
次に、図１及び図２を参照して、この実施例の動作について説明する。
液晶パネル３８の表示に際して、信号入力部２４、２６から表示画面の左半分及び右半分に対応する入力信号（画像信号）がタイミングコントローラ１２、１４に供給される。その入力信号はタイミングコントローラ１２、１４で所定の表示タイミングの画像信号にされて対応するソースドライバを介して液晶パネル３８の駆動電極に印加され、上記画像信号対応の画像が液晶パネル３８の表示面に表示される。
【００３９】
上述したような画像の表示は、信号入力部２４、２６から対応するコントローラに入力信号及び制御信号が正常に供給される場合に、行われるが、信号入力部２４、２６から対応するコントローラへの入力信号の未入力状態及び又は制御信号の異常になると、その信号状態が対応する信号検出部で検出される。
その検出結果が、異常検出のタイミングコントローラ（以下、一方のタイミングコントローラ）の出力部２１、２３及び双方向通信部２０、２２に供給される。
【００４０】
その双方向通信部２０、２２は、他方のタイミングコントローラの双方向通信部２２、２０にその旨を通知して双方向通信部２２、２０からそこで受信している画像信号（例えば、Ｂ１、Ｂ２、…又はＡ１、Ａ２、…）及び又は制御信号、例えば、クロック信号を受信する。その画像信号及び又は制御信号が、出力部２１、２３において異常となっている信号に代えて出力され、液晶パネル３８に供給される。
これにより、一方のタイミングコントローラの表示制御に異常が発生しても、液晶パネルの正常駆動を続行し得るし、液晶パネル３８に直流（ＤＣ）成分が印加されるのを防止することができて、液晶パネルの劣化は防止される。
また、インタフェース部側のデータフォーマット形式に制約されずに、画像表示を行うことができる。
【００４１】
このように、この実施例の構成によれば、一方のタイミングコントローラにおける表示制御の異常の検出結果をそのタイミングコントローラから、正常な表示制御にある他方のタイミングコントローラへ転送し、正常な画像信号及び又は制御信号を他方のタイミングコントローラから一方のタイミングコントローラへ転送してその画像信号及び又は制御信号を表示制御が異常となっているタイミングコントローラで表示制御に用いて液晶パネルを駆動するようにしたので、液晶パネルの正常表示、直流（ＤＣ）成分の印加を回避することによる液晶パネルの劣化の防止を図ると共に、インタフェース部側のデータフォーマット形式に制約されない画像表示を行うことができる。
【実施例２】
【００４２】
図３は、この発明の実施例２である液晶パネルの駆動装置の電気的構成を示す図である。
この実施例の構成が、実施例１のそれと大きく異なるところは、２つのタイミングコントローラの各々に予め決められた表示データを設定して置き、一方のタイミングコントローラで表示制御の異常が検出されたとき、その検出結果が他方のタイミングコントローラへ通知され、通知された検出結果に基づいて他方のタイミングコントローラから一方のタイミングコントローラへ予め設定されている表示データ（画像データ）及び又は制御信号を転送し、その表示データ及び又は制御信号を一方のタイミングコントローラの表示制御に用いるようにした点にある。
【００４３】
すなわち、この実施例の液晶パネルの駆動装置１Ａは、図３に示すように、タイミングコントローラ１２Ａ、１４Ａの各々に出力部２１Ａ、２３Ａを設け、これら出力部２１Ａ、２３Ａは予め決められて設定され表示データを出力可能に構成され、信号検出部１６、１８が表示制御の異常状態、例えば、未入力状態及び又はクロック信号等の制御信号の停止を検出したとき、その検出結果が他方のタイミングコントローラ１４Ａ、１２Ａへ通知され、通知された検出結果に基づいて他方のタイミングコントローラ１４Ａ、１２Ａから一方のタイミングコントローラ１２Ａ、１４Ａへ他方のタイミングコントローラ１４Ａ、１２Ａに予め設定されている表示データ（画像データ）及び又は制御信号を転送し、その表示データ及び又は制御信号を一方のタイミングコントローラ１２Ａ、１４Ａの出力部２１Ａ、２３Ａから液晶パネル３８のソースドライバ３０、３２又は３４、３６に供給して液晶パネル３８の対応部の表示制御に用いるようにしてこの実施例の特徴部分が構成される。
この構成以外のこの実施例の構成は、実施例１と同じであるので、同一の構成部分には同一の参照符号を付して、その逐一の説明は省略する。
【００４４】
次に、図３を参照して、この実施例の動作について説明する。
液晶パネル３８における正常な表示状態は、実施例１で説明したと同様、信号入力部２４、２６から表示画面の左半分及び右半分に対応する入力信号（画像信号）がタイミングコントローラ１２Ａ、１４Ａに供給され、タイミングコントローラ１２Ａ、１４Ａで所定の表示タイミングの画像信号にされて対応するソースドライバを介して液晶パネル３８の駆動電極に印加され、上記画像信号対応の画像が液晶パネル３８の表示面に表示される。
【００４５】
上述したような画像の表示において、タイミングコントローラの表示制御の異常、例えば、信号入力部２４又は２６から対応するコントローラへの入力信号が未入力状態になったり、クロツク信号等の制御信号が停止したりすると、その表示制御の異常が信号検出部１６又は１８で検出される。
その検出結果が、出力部２１Ａ又は２３Ａに供給されると共に、双方向通信部２０又は２２を介して他方のタイミングコントローラ１４Ａ又は１２Ａへ通知される。検出結果の通知を受けた他方のタイミングコントローラ１４Ａ又は１２Ａは、検出結果に応じて予め設定してある表示データ及び又は制御信号を一方のタイミングコントローラ１２Ａ又は１４Ａへ転送する。そのタイミングコントローラの出力部２１Ａ又は２３Ａは、転送されて来た表示データ及び又は制御信号を表示制御の異常となっている信号に代えて液晶パネル３８の対応するソースドライバへ出力する。
これにより、一方のタイミングコントローラに表示制御の異常が発生しても、液晶パネルの正常な駆動を続行し得るし、液晶パネル３８に直流（ＤＣ）成分が印加されるのを防止することができて、液晶パネルの劣化は防止される。
また、インタフェース部側のデータフォーマット形式に制約されずに、画像表示を行うことができる。
【００４６】
このように、この実施例の構成によれば、一方のタイミングコントローラにおける表示制御の異常時に、他方のタイミングコントローラから予め設定してある表示データ及び又は制御信号を一方のタイミングコントローラへ転送し、その一方のタイミングコントローラの表示制御に供し得るので、実施例１と同効を得ることができる。
【実施例３】
【００４７】
図４は、この発明の実施例３である液晶パネルの駆動装置の電気的構成を示す図である。
この実施例の構成が、実施例１のそれと大きく異なるところは、２つのタイミングコントローラの各々に予め決められた画像データを記憶したメモリを設けると共に、一方のタイミングコントローラの表示制御の異常を検出してその検出結果を他方のタイミングコントローラへ通知し、他方のタイミングコントローラから一方のタイミングコントローラへ画像データ及び又は制御信号を転送して一方のタイミングコントローラの表示制御を正常に行わせるようにした点にある。
【００４８】
すなわち、この実施例の液晶パネルの駆動装置１Ｂは、図４に示すように、タイミングコントローラ１２Ｂ、１４Ｂの各々にメモリ２５、２７を設け、これらメモリ２５、２７には予め決められた画像データを記憶して置き、信号検出部１６、１８が表示制御の異常、例えば、未入力状態及び又は制御信号（クロック信号）の停止を検出したとき、その検出結果を自己の双方向通信部２０、２２を介して他方のタイミングコントローラ１４Ｂ又は１２Ｂへ転送し、検出結果に応じてタイミングコントローラ１４Ｂ又は１２Ｂのメモリ２７又は２５に書き込んである画像データを読み出して画像データ及び又は制御信号を双方向通信部２２、２０を介して一方のタイミングコントローラ１２Ｂ又は１４Ｂへ転送し、転送されて来た画像データ及び又は制御信号を表示制御の異常となっている信号に代えて出力部２１Ｂ又は２３Ｂから液晶パネル３８のソース-ドライバ３０、３２又は３４、３６へ出力するようにしてこの実施例の特徴部分が構成される。
この構成以外のこの実施例の構成は、実施例１と同じであるので、同一の構成部分には同一の参照符号を付して、その逐一の説明は省略する。
【００４９】
次に、図４を参照して、この実施例の動作について説明する。
液晶パネル３８における正常な表示状態は、実施例１で説明したと同様、信号入力部２４、２６から表示画面の左半分及び右半分に対応する入力画像信号がタイミングコントローラ１２Ｂ、１４Ｂに供給され、タイミングコントローラ１２Ｂ、１４Ｂで所定の表示タイミングの画像信号にされて対応するソースドライバ３０、３２、３４、３６を介して液晶パネル３８の駆動電極に印加され、上記画像信号対応の画像が液晶パネル３８の表示面に表示される。
【００５０】
上述したような画像の表示において、タイミングコントローラの表示制御の異常、例えば、信号入力部２４又は２６から対応するコントローラへの入力画像信号が未入力状態になったり、制御信号（クロック信号等）の停止が生ずると、その表示制御の異常が信号検出部１６又は１８で検出される。
その検出結果が、出力部２１Ｂ又は２３Ｂ及び双方向通信部２０又は２２に供給される。双方向通信部２０又は２２は、検出結果を他方の双方向通信部２２又は２０へ転送する。検出結果に応じて他方のタイミングコントローラ１４Ｂ又は１２Ｂは、メモリ２７又は２５に記憶されている画像データを読み出しその画像データ及び又は制御信号を双方向通信部２２又は２０から双方向通信部２０又は２２へ転送する。
【００５１】
双方向通信部２０又は２２で受信した画像データ及び又は制御信号は、表示制御の異常となっている信号に代えて出力部２１Ｂ又は２３Ｂを介して液晶パネル３８のソースドライバ３０、３２又は３４、３６へ出力されてその表示制御に供される。
これにより、一方のタイミングコントローラに表示制御の異常が発生しても、液晶パネル３８の正常な駆動を続行し得るし、液晶パネル３８に直流（ＤＣ）成分が印加されるのを防止することができて、液晶パネルの劣化は防止される。
一方のタイミングコントローラが転送されて来た画像データの表示を行うと共に、上記他方のタイミングコントローラでも、メモリの画像データを表示すれば、液晶パネルの左右に同一画像を表示することができる。
【００５２】
このように、この実施例の構成によれば、一方のタイミングコントローラの表示制御の異常を検出し、その検出結果を他方のタイミングコントローラへ転送し、他方のタイミングコントローラから一方のタイミングコントローラへ画像データを転送して表示制御に用いるようにしているので、実施例１と同効が得られる。
また、他方のタイミングコントローラから一方のタイミングコントローラへ画像データを転送し表示すると共に、他方のタイミングコントローラでも転送した画像データを表示するようにすれば、左右に同一画面を表示することができる。  
【００５３】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記のいずれの実施例においても、タイミングコントローラを２個用いる場合を説明したが、３個以上を用いてこの発明の駆動装置を構成することもできる。
【００５４】
また、上記のいずれの実施例においても、入力画素信号の未入力状態の検出のほか、クロック信号等の停止の場合について説明したが、入力画素信号のその他の信号成分、例えば、周波数を検出して入力解像度を判別して上述したと同様にして表示異常を回避するようにしてもよい。
また、上記信号成分の例としては、同期信号がある。この同期信号についても、周波数と同様、同期状態を判別し、その結果に基づいて表示異常を回避するようにしてもよい。
【００５５】
また、上述して来たこの発明を液晶パネル以外でも、その適用が可能な限度において、実施し得る。
さらには、タイミングコントローラの表示制御の異常だけでなく、タイミングコントローラ間の表示制御上における連携を正常な表示制御においても行うようにして、この発明を構成してもよい。
【産業上の利用可能性】
【００５６】
ここに開示している表示パネルの駆動方法及びその装置は、各種の表示装置、例えば、情報処理装置、携帯端末装置、ビデオカメラの表示装置等やテレビ等として利用し得る。
【図面の簡単な説明】
【００５７】
【図１】この発明の実施例１である液晶パネルの駆動装置の電気的構成を示す図である。
【図２】同駆動装置の動作を説明するための図である。
【図３】この発明の実施例２である液晶パネルの駆動装置の電気的構成を示す図である。
【図４】この発明の実施例３である液晶パネルの駆動装置の電気的構成を示す図である。
【図５】従来の液晶パネルの駆動装置の電気的構成を示す図である。
【符号の説明】
【００５８】
１、１Ａ、１Ｂ      液晶パネルの駆動装置
１２、１４      タイミングコントローラ（パネル駆動手段）
１６、１８      信号検出部（検出手段）
２０、２２      双方向通信部（第１の転送手段、第２の転送手段、第３の転送手段）
２１、２３      出力部
【図１】
2006243565.tif 000003
【図２】
2006243565.tif 000004
【図３】
2006243565.tif 000005
【図４】
2006243565.tif 000006
【図５】
2006243565.tif 000007